(57)【要約】【課題】装着・脱離の簡便性を維持しつつ使用者への負荷を低減する表示装置の提供。【解決手段】画像情報を表示する画像表示部１０２と、使用者Ａに装着されたときに画像表示部１０２を当該使用者Ａの眼前に支持する支持部１０と、一方の端部が支持部１０の各端部１２、１３に接続された一対の梁部２０と、を有し、梁部２０は、それぞれ、使用者Ａの側頭部Ａ２に沿って湾曲した第１梁部２１と、第１梁部２１の中途部２１ａと支持部１０とを連結した第２梁部２２と、を有し、第１梁部２１は、当該第１梁部２１の長手方向θに沿って形成され一対の梁部２０が対向するＸ方向に幅ｄを有する空隙部２５を備える。【選択図】図３
2017060082.tif 000002
【特許請求の範囲】
【請求項１】
画像情報を表示する画像表示部と、
使用者に装着されたときに前記画像表示部を当該使用者の眼前に支持する支持部と、
一方の端部が前記支持部の各端部に接続された一対の梁部と、
を有し、
前記梁部は、それぞれ、前記使用者の側頭部に沿って湾曲した第１梁部と、
前記第１梁部の中途部と前記支持部とを連結した第２梁部と、を有し、
前記第１梁部は、当該第１梁部の長手方向に沿って形成され前記一対の梁部が対向する方向に幅を有する空隙部を備える表示装置。
【請求項２】
請求項１に記載の表示装置において、
前記空隙部は、前記長手方向に連続的に形成されたことを特徴とする表示装置。
【請求項３】
請求項１に記載の表示装置において、
前記空隙部は、前記第１梁部の両端部を除いて前記長手方向の全域に亘って形成されたことを特徴とする表示装置。
【請求項４】
請求項１に記載の表示装置において、
前記空隙部は、前記長手方向に複数に分割された状態で形成されていることを特徴とする表示装置。
【請求項５】
請求項４に記載の表示装置において、
前記空隙部は、前記第１梁部と前記第２梁部とが接続された前記中途部で分割されたことを特徴とする表示装置。
【発明の詳細な説明】
【技術分野】
【０００１】
本発明は、表示装置に関する。
【背景技術】
【０００２】
ヘッドマウントディスプレイ等の表示装置、特に使用者の眼前に表示部があり、テンプル部分と鼻パッドと耳パッドとを有する眼鏡型ディスプレイでは、画像表示部等をはじめとして主要部品が使用者の眼前付近に配置されるため、前方が重い構造になっている。
そのため、眼鏡型ディスプレイでは、近視矯正眼鏡に比べて３〜８倍程度の荷重が鼻パッドにかかってしまい、長時間の使用が困難な傾向にある。
このような鼻への負荷を軽減するために、単純な眼鏡型ではなく、使用者の側頭部に眼鏡型ディスプレイを固定する固定部を備えた構成や、ヒンジ状の挟持竿で使用者の耳を挟持する構成等が考えられている（特許文献１〜３等参照）。
しかしながら、かかる使用者の頭部へ固定するための新たな固定部を備える構成では、装着が煩雑になってしまう問題があった。
【発明の概要】
【発明が解決しようとする課題】
【０００３】
本発明は、以上のような問題点に鑑みてなされたものであり、装着・脱離の簡便性を維持しつつ使用者への負荷を低減する表示装置の提供を目的とする。
【課題を解決するための手段】
【０００４】
上述した課題を解決するため、本発明の表示装置は、画像情報を表示する画像表示部と、使用者に装着されたときに前記画像表示部を当該使用者の眼前に支持する支持部と、一方の端部が前記支持部の各端部に接続された一対の梁部と、を有し、前記梁部は、それぞれ、前記使用者の側頭部に沿って湾曲した第１梁部と、前記第１梁部の中途部と前記支持部とを連結した第２梁部と、を有し、前記第１梁部は、当該第１梁部の長手方向に沿って形成され前記一対の梁部が対向する方向に幅を有する空隙部を備える。
【発明の効果】
【０００５】
本発明の表示装置によれば、装着・脱離の簡便性を維持しつつ使用者への負荷を低減する。
【図面の簡単な説明】
【０００６】
【図１】本発明の第１の実施形態に係る表示装置の使用態様の一例を示す側面図である。
【図２】図１に示した表示装置の光学ユニットの構成の一例を示す図である。
【図３】図１に示した表示装置の全体構成の装着時の一例を示す平面図である。
【図４】使用者の標準的な頭部の形状を示す平面図である。
【図５】片持ち梁の湾曲とねじれ角とを示すシミュレーション図の一例である。
【図６】片持ち梁の幅を変えたときの湾曲とねじれ角との低減効果を示すシミュレーション図の一例である。
【図７】片持ち梁に空隙部を設けた構成の湾曲とねじれ角との低減効果を示すシミュレーション図の一例である。
【図８】第２の実施形態に係る表示装置の全体構成の一例を示す平面図である。
【図９】第３の実施形態に係る表示装置の全体構成の一例を示す平面図である。
【図１０】従来の表示装置の構成の一例を示す図である。
【発明を実施するための形態】
【０００７】
本発明の第１の実施形態の一例として図１に眼鏡型ディスプレイとしての表示装置たる画像表示装置１００を示す。
画像表示装置１００は、使用者Ａの眼前に画像情報を表示する投影面たる画像表示部１０１と、画像情報を投影するための投射光学系を備えた画像投影光学ユニットたる光学ユニット１０２と、を有している。
画像表示装置１００は、使用者Ａに装着された状態で画像表示部１０１が使用者Ａの眼前にくるように支持する支持部たるフレーム１０と、フレーム１０に端部が接続されて、使用者Ａの耳部Ａ３にかかってフレーム１０を支持する一対の梁部２０と、を有している。
なお、以降の説明では、図１に示すように、使用者Ａの前方方向をＺ方向とし、Ｚ方向に垂直な方向のうち、鉛直上方をＹ方向、図１紙面手前方向に相当する、耳部Ａ３を結ぶ方向をＸ方向とする。
【０００８】
光学ユニット１０２は、図２に拡大して示すように、光束Ｌを出射するＬＥＤたる光源１０３と、透過する光束Ｌに画像情報を付与するための画像表示素子１０４と、光束Ｌを画像表示部１０１に投射する投射光学系を形成するレンズ群１０５とを有している。
光源１０３から照射された光束Ｌは、画像表示素子１０４を透過して、画像情報を付与された状態で、レンズ群１０５から射出されて画像表示部１０１へと入射する。
なお、光学ユニット１０２は、本実施形態においてはフレーム１０の内部に配置される態様で画像表示装置１００に備えられているが、フレーム１０とは別体に取り付けてもよい。
【０００９】
画像表示部１０１は、表面に反射防止膜を形成した三角プリズム１０１ａ、１０１ｂを備え、光学ユニット１０２から射出された光束Ｌの光導波路により構成されている。
すなわち、光束Ｌが入射側三角プリズム１０１ａによって屈折し、三角プリズム１０１ａ、１０１ｂとの間を全反射しながら、最終的に出射側三角プリズム１０１ｂによって屈折して使用者Ａの眼球に画像が投影される。
なお、図２では、光束Ｌが全反射する光路については省略し、１本の単純な線として記載している。また、本実施形態では、画像表示部１０１は左眼、右眼それぞれに取り付けられて両目に画像を表示する構成を示すが、片目のみに画像を表示する構成であっても良い。
【００１０】
フレーム１０は、図３に示すように、使用者Ａの鼻部Ａ１に当接してフレーム１０を支持する鼻パッド１１と、フレーム１０の左右すなわち±Ｘ方向それぞれの端部１２、１３に設けられ、梁部２０の端部を接続するための蝶番たる連結部１４と、を有している。
フレーム１０は、本実施形態ではＡＢＳ樹脂を用いるとするが、ポリアミド、高密度ポリエチレン、ポリカーボネート等の樹脂材料を用いても良いし、冷間圧延鋼やステンレス鋼などの金属材料であってもよい。
【００１１】
＋Ｘ方向と−Ｘ方向とに形成されたテンプルたる梁部２０は、それぞれ、使用者Ａの側頭部Ａ２に沿って湾曲した第１梁部２１と、第１梁部２１の中途部たる分岐部２１ａと連結部１４とを連結した第２梁部たる第２分岐部２２と、を有している。
第１梁部２１は、第１梁部２１の長手方向、すなわち側頭部Ａ２の周方向たるθ方向に沿って形成され、一対の梁部２０が対向する方向たるＸ方向に幅Δｄを有する空隙部２５を有している。
以降の説明を簡単にするために、一対に形成された梁部２０のうち、＋Ｘ方向側に形成された梁部２０についてのみ説明し、−Ｘ方向側に形成された梁部２０については、ＹＺ平面に対して対称であるので説明を省略する。
第１梁部２１は、分岐部２１ａよりも＋Ｚ方向側であって、分岐部２１ａから−Ｘ方向へ湾曲して延びた第１分岐部２１１と、分岐部２１ａよりも−Ｚ方向側であって、分岐部２１ａからフレーム１０と逆方向に延びた延伸部２１２と、を有している。
第１分岐部２１１と延伸部２１２とは、第１分岐部２１１と延伸部２１２とに沿う方向たるθ方向に沿って形成され第１分岐部２１１と第２分岐部２２とが分岐する方向たるＸ方向に幅Δｄを有する空隙部２５を備えている。
すなわち、梁部２０は、使用者Ａの側頭部Ａ２に沿って湾曲したアルファベットのＹ字状の三叉形状である。
【００１２】
梁部２０は、本実施形態では、ＡＢＳ樹脂を用いて形成されている幅ｄ＝２ｍｍの片持ち梁形状の部材である。
なお、梁部２０の材質は、ＡＢＳ樹脂以外の樹脂材料を用いるときにはヤング率が１ＧＰａ〜５ＧＰａ程度かつポアソン比が０．３〜０．３５程度の材質であることが望ましい。
具体的には、ポリアミド、高密度ポリエチレン、ポリカーボネート等が好ましい。
なお、梁部２０を金属材料で形成する場合には、ヤング率が１００ＧＰａ〜２００ＧＰａ、ポアソン比が０．３程度の冷間圧延鋼や、ステンレス鋼等が望ましい。
梁部２０のＸ方向の幅ｄは、１．５ｍｍ〜３ｍｍの範囲内で収めることが望ましい。
【００１３】
延伸部２１２は、−Ｚ方向側において、耳部Ａ３と当接して係り合うことで、フレーム１０を支持する。
延伸部２１２は、耳部Ａ３と当接する位置を含むように形成された耳パッド２１２ｂを有している。
【００１４】
第１梁部２１は、θ方向に沿って一部が側頭部Ａ２と当接して、梁部２０を支持している。すなわち、第１梁部２１は、画像表示装置１００の装着時において、使用者Ａの側頭部Ａ２に沿って湾曲しながら当接して、画像表示装置１００を支持する。
【００１５】
空隙部２５は、第１梁部２１の端部を除くθ方向全域に連続的に形成された幅Δｄ＝０．５ｍｍであってＹ方向に貫通している中抜き構造である。
【００１６】
このような画像表示装置１００において、使用者Ａが画像表示装置１００を装着する場合について考える。
光源１０３からの光束Ｌは、その光量が距離の２乗で減衰していくため、光学ユニット１０２は、画像表示部１０１に近い位置に備えられることが望ましい。
したがって、光学ユニット１０２は、画像表示装置１００の＋Ｚ方向側に設けられることが望ましい。
通常、光学ユニット１０２は、通常の近視矯正眼鏡の材料に比べて重量があるために、装着時における画像表示装置１００の重心は、＋Ｚ方向へ寄った位置、鼻部Ａ１の近傍に位置すると考えられる。
【００１７】
従来例として図１０に示すように、単に鼻部Ａ１と耳部Ａ３とで画像表示装置３００を支持する場合を考えると、＋Ｚ方向側に光学ユニット１０２を配置したとき、鼻部Ａ１にかかる荷重比率が８０％から９０％近くになる。
具体的に、例えば画像表示装置３００の重量が１００ｇであったとすると、鼻部Ａ１にかかる荷重は８０ｇ〜９０ｇとなる。一般的な近視矯正眼鏡の装着時に鼻部Ａ１にかかる荷重は１０ｇ程度であるので、画像表示装置３００を装着したときの荷重差が非常に大きいものとなる。
かかる鼻部Ａ１への大きな荷重は、鼻パッド付近の炎症や痛みなどを生じさせるおそれがあり、装着時の負担となるために、軽減することが望ましい。
【００１８】
装着時における鼻部Ａ１にかかる荷重を軽減するためには、＋Ｚ方向側において画像表示装置１００を支持する面積を増やせばよい。
そこで、画像表示装置１００では、第１梁部２１が、当該画像表示装置１００の装着時において、使用者Ａの側頭部Ａ２に沿って湾曲しながら当接して、画像表示装置１００を支持することで、鼻部Ａ１にかかる負荷を軽減している。
【００１９】
しかしながら、単に第１梁部２１が側頭部Ａ２に沿って湾曲して画像表示装置１００を支持するのみでは、側頭部Ａ２のサイズが使用者Ａによって異なってしまうので、装着感の悪化や、頭部の締め付けが強くなってしまうという問題までもは解決できない。
例えば図４に、日本人の成人男性の平均的な頭部のＭＲＩ画像を元に、頭部形状を台形と円形とで近似した寸法とを標準寸法として示す。具体的には、円形の直径たる頭幅は１６０ｍｍ、円形と台形の合計の長さたる頭長は１８９ｍｍ、こめかみの幅に近似される耳珠間幅は１４８ｍｍ、耳付け根からこめかみまでの距離３１．５ｍｍ、こめかみから額までの距離７７．５ｍｍ程度である。
【００２０】
図３は、かかる標準寸法の頭部に本実施形態における画像表示装置１００を装着した場合の模式図である。
図３から明らかなように、第１梁部２１は側頭部Ａ２に沿って湾曲することで、こめかみから側頭部にかかる広い範囲で当接して、画像表示装置１００を支持している。
かかる構成により、装着・脱離の簡便性を維持しつつ使用者への負荷を低減する。
【００２１】
かかる標準寸法に対して、±５％程度の大きさの個人差があるものとして考える。
このとき、例えば使用者Ａの頭部が５％大きい場合には、第１梁部２１は、標準寸法の頭部に当接するときよりもＸ方向に広げられるように力がかかる。そのため標準寸法よりも応力が高く、使用者Ａに締め付けられるような装着感の悪化を生じさせるおそれがある。
すなわち、かかるＸ方向の力に応じて変形しやすい構造であれば、使用者Ａの頭部の寸法差によって生じる装着感の悪化を抑制することができる。
また、ＸＹ平面におけるねじれが発生すると、上下方向に第１梁部２１が歪んでしまい、装着感の悪化につながる虞がある。
そのため、梁部２０は、Ｘ方向の変化に対して容易に変形可能でありながら、ねじれ強度は維持されることが望ましい。
【００２２】
そこで、本実施形態では、第１梁部２１は、Ｙ方向に貫通して、Ｘ方向に幅Δｄを持った溝部たる中抜き領域としての空隙部２５を有している。
かかる空隙部２５の利点を、片持ち梁を例として、図５（ａ）、（ｂ）を用いて説明する。
図５（ａ）は、Ｘ方向の幅３ｍｍである片持ち梁を模式的に示した平面図であり、Ｘ方向に平行な力Ｆを加えたときの梁の変形を示している。
このとき、片持ち梁の変形量Ｌ１のとき、圧縮応力ｆ１と引張り応力ｆ’１とが生じ、梁はねじれ角θ１でねじれる。
次に、図６（ａ）、（ｂ）は、片持ち梁の幅が１．５ｍｍである片持ち梁を模式的に示した平面図であり、同様にＸ方向に平行な力Ｆを加えるとする。
このとき、片持ち梁の変形量Ｌ２、圧縮応力ｆ２、引張り応力ｆ’２、ねじれ角θ２とすると、変形量Ｌ２＞変形量Ｌ１、圧縮応力ｆ２＜圧縮応力ｆ１、引張り応力ｆ’２＜引張り応力ｆ’１、ねじれ角θ２＞ねじれ角θ１となる。すなわち、梁の幅を半分にすると、同じ大きさの力Ｆを加えたときに内部応力が小さく、すなわち変形しやすく、ねじれ角は大きくなる。
【００２３】
図７（ａ）、（ｂ）は、片持ち梁の幅が３．０ｍｍであって、Ｘ方向に幅Δｄ＝１．０ｍｍの幅を持って、Ｙ方向には貫通した空隙部たる中抜き領域を設けた場合を示している。
図７に示すように、中抜き領域を設けることにより、力Ｆに対して変形量Ｌ３＞変形量Ｌ１、圧縮応力ｆ３＜圧縮応力ｆ１、引張り応力ｆ’３＜引張り応力ｆ’１、ねじれ角θ３≒ねじれ角θ１となる。
すなわち、梁の幅方向に中抜き領域を設けると、同じ大きさの力Ｆを加えたときに内部応力が小さく、すなわち変形しやすく、かつねじれ角は小さくなる。
【００２４】
既に述べたように、第１梁部２１は、Ｘ方向に幅Δｄを持った空隙部２５を有しているので、図７を用いて説明したように、空隙部２５の幅方向であるＸ方向に力Ｆがかかったときに、Ｘ方向には変形しやすく、かつねじれ角θが小さくなる。
したがって、使用者Ａの頭部が５％大きい場合にも、第１梁部２１は、Ｘ方向に容易に広げられるとともに、ＸＹ平面におけるねじれ角が小さく維持されるから、装着・脱離の簡便性を維持しつつ使用者への負荷を低減する。
また、第１梁部２１は、側頭部Ａ２に沿って当接し、使用者Ａのこめかみ付近での接触面積を大きくするから、画像表示装置１００の重心が前方に偏っている場合にも、荷重負荷が分散されて使用者への負荷が低減される。
【００２５】
梁部２０は、＋Ｚ方向側が２又に分岐した分岐部２１ａと、分岐部２１ａからフレーム１０と逆方向に延びた延伸部２１２と、を有している。
分岐部２１ａは、フレーム１０に接続された第１分岐部２１１と、第１分岐部２１１よりも使用者Ａの側頭部Ａ１側に位置する第２分岐部２２を有している。
第２分岐部２２と延伸部２１２とは、側頭部Ａ１の長手方向に沿って形成され第１分岐部２１１と第２分岐部２２とが分岐するＸ方向に幅Δｄを有する空隙部２５を備えている。
かかる構成により、第２分岐部２２は、側頭部Ａ１に沿って当接し、使用者Ａのこめかみ付近での接触面積を大きくするから、画像表示装置１００の重心が前方に偏っている場合にも、荷重負荷が分散されて使用者への負荷が低減される。
【００２６】
本発明の第２の実施形態として、図８に示すように、第１梁部２１が空隙部２６を有する構成について説明する。
なお、以下の実施形態の説明では、第１の実施形態と同じ構成については同一の番号を付して適宜説明を省略する。
第２の実施形態における空隙部２６は、図８に示すように、第１梁部２１の長手方向に沿って形成された４つの小空隙部２６ａ、２６ｂ、２６ｃ、２６ｄを有している。言い換えると、空隙部２６は、長手方向に複数に分割された状態で形成されている。
なおここで、第１梁部２１は、Ｘ方向の幅ｄ２＝２ｍｍ、長さ１１０ｍｍ、曲率半径５０ｍｍとした。
【００２７】
それぞれの小空隙部２６ａ、２６ｂ、２６ｃ、２６ｄのサイズは、幅０．５ｍｍ、長さ２３．５ｍｍであり、各小空隙部２６ａ、２６ｂ、２６ｃ、２６ｄの間には、それぞれ２ｍｍの間隔が設けられている。
また、小空隙部２６ａ、２６ｂ、２６ｃ、２６ｄは何れも、図８に一点鎖線で示した第１梁部２１の中心線上にその中心がくるように配置されている。
小空隙部２６ａ、２６ｂ、２６ｃ、２６ｄは、長さの比較的短い中空の梁部が４つ並んだ形状として考えることができる。あるいは、中抜き領域の中に、厚さ２ｍｍの壁部を等間隔に設けた形状として考えることができる。
したがって、第１梁部２１の全体では、図７の構成に対してＸ方向の力Ｆがかかったときに、若干変形しにくくなる変わりにねじれ角はさらに減少して、装着時の堅牢さが向上する。
【００２８】
かかる構成により、空隙部２６の幅方向であるＸ方向に力Ｆがかかったときに、Ｘ方向には変形しやすく、かつねじれ角θが小さくなる。
したがって、使用者Ａの頭部が５％大きい場合にも、第１梁部２１は、Ｘ方向に容易に広げられるとともに、ＸＹ平面におけるねじれ角が小さく維持されるから、装着・脱離の簡便性を維持しつつ使用者への負荷を低減する。
【００２９】
本発明の第３の実施形態として、図９に示すように、第１梁部２１が空隙部２７を有する構成について説明する。
第３の実施形態において、第１梁部２１は、長手方向の端部が切開された２つの小空隙部２７ａ、２７ｂを有している。具体的には、分岐部２１ａよりもこめかみ側すなわち＋Ｚ方向側に形成された第１空隙部たるこめかみ側小空隙部２７ａと、分岐部２１ａよりも耳側すなわち−Ｚ方向側に形成された第２空隙部たる耳側小空隙部２７ｂと、を有している。
かかる小空隙部２７ａ、２７ｂは、第３の実施形態における空隙部２７としての機能を有している。
また、こめかみ側小空隙部２７ａと、耳側小空隙部２７ｂと、の間には、間隔Ｌ’＝５ｍｍが設けられている。かかる間隔Ｌ’は、分岐部２１ａの位置と重複するように形成されている。
すなわち第３の実施形態における空隙部２７は、第１梁部２１と第２梁部２２とが接続された位置たる分岐部２１ａにおいて分割されて形成されている。
【００３０】
こめかみ側小空隙部２７ａは、＋Ｚ方向側の１辺が切り取られて開放された態様で形成された略長方形形状の空隙部としての機能を有している。
また、耳側小空隙部２７ｂは、−Ｚ方向側の１辺が切り取られて開放された態様で形成された略長方形形状の空隙部としての機能を有している。
かかる構成により、第１梁部２１の全体では、図１１の構成に比べて、Ｘ方向の力Ｆがかかったときに、より変形し易くなることで、装着時の使用者への負荷がより低減される。
【００３１】
以上述べた第１〜第３の実施形態と、第１の実施形態と同様の第１梁部２１から空隙部２５を除いた構成である比較例１と、を用いて、使用者Ａのこめかみ近傍にはたらく圧力の測定結果と、鼻部にかかる負荷荷重の測定結果と、を比較した例を表１に示す。
表１において、従来例として記載してあるものは、図１０に示した眼鏡型の表示装置３００を装着したときの測定結果であり、こめかみ近傍には当接しないため斜線にて示す。
なお、表１においては、こめかみ近傍にはたらく圧力とともに、画像表示装置１００及び画像表示装置３００を所定の時間だけ装着し続けたときの違和感・痛みの有無をも併記する。
また、頭部形状についても、標準形状、標準形状より５％小さい小型形状、標準形状より５％大きい大型形状、の３形状について比較を行った。
【００３２】
表１から明らかなように、第１〜第３の実施形態の何れも、従来例よりも鼻部にかかる負荷荷重を大きく低減できている。
また、比較例１では、鼻部への負荷荷重が低減される一方で、こめかみ近傍にかかる圧力が大きく、装着時の違和感、痛みの原因となっているが、第１〜第３の実施形態の何れも、比較例１に対して、こめかみ近傍にかかる圧力をも低減されている。
従って、第１〜第３の実施形態において、空隙部２５、２６、２７があることによって、装着・脱離の簡便性を維持しつつ使用者への負荷を低減していることがわかる。
【００３３】
【表１】
2017060082.tif 000003
【００３４】
以上本発明の好ましい実施の形態について説明したが、本発明はかかる特定の実施形態に限定されるものではなく、上述の説明で特に限定していない限り、特許請求の範囲に記載された本発明の趣旨の範囲内において、種々の変形・変更が可能である。
【００３５】
例えば、上記実施形態において、表示装置は、左右対称に、両目に画像を表示する画像表示装置であるとしたが、片目のみに画像を表示する画像表示装置であっても良い。
【００３６】
また、第１梁部は樹脂であるとしたが、金属製であっても良いし、第１梁部と第２梁部とが異なる材料であっても良い。
【００３７】
本発明の実施の形態に記載された効果は、本発明から生じる最も好適な効果を列挙したに過ぎず、本発明による効果は、本発明の実施の形態に記載されたものに限定されるものではない。
【符号の説明】
【００３８】
１０    支持部（フレーム）
１２    支持部の各端部
１３    支持部の各端部
２０    梁部
２１    第１梁部
２１ａ  中途部（分岐部）
２２    第２梁部（第２分岐部）
２５    空隙部
２６（２６ａ、２６ｂ、２６ｃ、２６ｄ）    空隙部
２７（２７ａ、２７ｂ）    空隙部
１００  表示装置（画像表示装置）
１０１  画像表示部
１０２  光学ユニット
２１１  第１分岐部
２１２  延伸部
Ａ      使用者
Ａ１    鼻部
Ａ２    側頭部
Ａ３    耳部
θ      長手方向（側頭部の周方向）
【先行技術文献】
【特許文献】
【００３９】
【特許文献１】特許第４９８５２４７号公報
【特許文献２】特許第４５９５６０４号公報
【特許文献３】特開平０７−０５６５３６号公報
【図１】
2017060082.tif 000004
【図２】
2017060082.tif 000005
【図３】
2017060082.tif 000006
【図４】
2017060082.tif 000007
【図５】
2017060082.tif 000008
【図６】
2017060082.tif 000009
【図７】
2017060082.tif 000010
【図８】
2017060082.tif 000011
【図９】
2017060082.tif 000012
【図１０】
2017060082.tif 000013